(57)【要約】【課題】外部装置から入力される音情報の出力特性を簡便に設定する楽曲演奏装置を提供する。【解決手段】楽器種類判定手段１０６により判定された種類の楽器が、楽曲データにおいて楽譜情報が定められた楽器の何れかに該当するか否かを判定する楽器使用判定手段１０８と、その楽器使用判定手段１０８の判定が肯定される場合には、楽曲データに予め定められた楽器それぞれに対応する出力特性情報から、楽器種類判定手段１０６により判定された種類の楽器に対応する出力特性情報を抽出する出力特性抽出手段１１０と、その出力特性抽出手段１１０により抽出された出力特性情報に基づいて、外部入力受付手段１０４により受け付けられた音情報の出力特性を設定する出力特性設定手段１１２とを、備えたものであることから、簡便且つ実用的な態様で外部入力受付手段１０４により受け付けられた音情報の出力特性を設定することができる。【選択図】図５
2014066922.tif 000002
【特許請求の範囲】
【請求項１】
複数種類の楽器にそれぞれ対応する楽譜情報が定められた楽曲データに基づいて、前記複数種類の楽器の演奏音を併行して出力させる楽曲演奏装置であって、
前記楽曲演奏装置に接続された外部装置からの音情報の入力を受け付ける外部入力受付手段と、
該外部入力受付手段により受け付けられた音情報に対応する楽器の種類を判定する楽器種類判定手段と、
該楽器種類判定手段により判定された種類の楽器が、前記楽曲データにおいて楽譜情報が定められた前記複数種類の楽器の何れかに該当するか否かを判定する楽器使用判定手段と、
該楽器使用判定手段の判定が肯定される場合には、前記楽曲データに予め定められた前記複数種類の楽器それぞれに対応する出力特性情報から、前記楽器種類判定手段により判定された種類の楽器に対応する出力特性情報を抽出する出力特性抽出手段と、
該出力特性抽出手段により抽出された出力特性情報に基づいて、前記外部入力受付手段により受け付けられた音情報の出力特性を設定する出力特性設定手段と
を、備えたものであることを特徴とする楽曲演奏装置。
【請求項２】
前記出力特性設定手段は、前記外部入力受付手段により受け付けられた音情報の出力に係る定位を設定するものである請求項１に記載の楽曲演奏装置。
【請求項３】
前記出力特性設定手段は、前記外部入力受付手段により受け付けられた音情報の出力に係る少なくとも１種類のサウンドエフェクトを設定するものである請求項１又は２に記載の楽曲演奏装置。
【請求項４】
前記外部入力受付手段により前記外部装置からの音情報の入力が受け付けられる場合において、前記楽曲データに定められた前記複数種類の楽器にそれぞれ対応する楽譜情報のうち、規定の楽器に対応する楽譜情報に基づく演奏音の出力を行わず、余の楽器に対応する楽譜情報に基づく演奏音の出力を行うマイナスワン演奏制御手段を備え、
前記出力特性設定手段は、該マイナスワン演奏制御手段により出力の対象から除外される前記規定の楽器の出力特性を設定するものである
請求項１から３の何れか１項に記載の楽曲演奏装置。
【請求項５】
複数種類の楽器それぞれに対応して、各楽器の演奏音の周波数特性を記憶する周波数特性データベースを備え、
前記楽器種類判定手段は、前記外部入力受付手段により受け付けられた音情報の周波数特性を解析し、前記周波数特性データベースに記憶された各楽器の演奏音の周波数特性から前記音情報の解析結果に基づいて該音情報に対応する楽器の種類を判定するものである
請求項１から４の何れか１項に記載の楽曲演奏装置。
【発明の詳細な説明】
【技術分野】
【０００１】
本発明は、カラオケ装置をはじめとする楽曲演奏装置に関し、特に、外部装置から入力される音情報の出力特性を簡便に設定するための改良に関する。
【背景技術】
【０００２】
複数種類の楽器にそれぞれ対応する楽譜情報が定められた楽曲データに基づいて、前記複数種類の楽器の演奏音を併行して出力させる楽曲演奏装置が知られている。例えば、多数の楽曲データのうちから選択される楽曲データの演奏出力を行うと共に、その楽曲の歌詞文字映像を映像表示装置に表示させるカラオケ装置がその一例である。斯かるカラオケ装置によれば、予め記憶装置に記憶された多数の楽曲からリモコン装置等により選択（選曲）された楽曲に関して、その楽曲の演奏音（音楽情報）を出力させると共に、その楽曲の歌詞文字映像を含む映像を演奏出力に同期して画面に表示させることで、所望の楽曲のカラオケ演奏を楽しむことができる。
【０００３】
前記楽曲演奏装置による楽曲の出力においては、通常、出力特性として定位が設定される。この定位とは、前記楽曲演奏装置に備えられた複数のスピーカによる楽曲のステレオ演奏に関して、各スピーカ毎の割り振りを定める値であり、例えばＭＩＤＩのコントロールチェンジにおけるパンポット（Panpot）が斯かる定位に相当する。前記楽曲演奏装置による楽曲の出力において、斯かる定位を制御する技術が提案されている。例えば、特許文献１に記載された楽曲再生装置がそれである。この技術によれば、出力対象となる楽曲のジャンルが演歌のときは定位を右に置いて再生する等、その楽曲の内容に応じて音像の定位を制御することで、再生された楽曲を聴くときに、利用者がその楽曲の内容を容易に知ることができるとされている。
【先行技術文献】
【特許文献】
【０００４】
【特許文献１】特開２００６−２０１６５５号公報
【発明の概要】
【発明が解決しようとする課題】
【０００５】
ところで、近年、前記楽曲演奏装置の一形態として、その楽曲演奏装置にエレキギター等の楽器（外部装置）を接続し、その楽曲演奏装置による演奏出力に合わせて利用者が斯かる楽器の演奏練習を行う等の利用形態が実用化されている。しかしながら、従来、前記楽器から入力される音情報は、所謂ライン出力（ライン端子を介してのアナログ出力）により前記楽曲演奏装置から出力されるものであり、前記楽曲データに予め定められた定位等の出力特性が前記外部装置から入力される音情報に反映されないという不具合があった。前述したような従来の定位制御では、斯かる不具合を解消することができなかった。このような課題は、楽曲演奏装置の使用性向上を意図して本発明者が鋭意研究を継続する過程において新たに見出したものである。
【０００６】
本発明は、以上の事情を背景として為されたものであり、その目的とするところは、外部装置から入力される音情報の出力特性を簡便に設定する楽曲演奏装置を提供することにある。
【課題を解決するための手段】
【０００７】
斯かる目的を達成するために、本発明の要旨とするところは、複数種類の楽器にそれぞれ対応する楽譜情報が定められた楽曲データに基づいて、前記複数種類の楽器の演奏音を併行して出力させる楽曲演奏装置であって、前記楽曲演奏装置に接続された外部装置からの音情報の入力を受け付ける外部入力受付手段と、その外部入力受付手段により受け付けられた音情報に対応する楽器の種類を判定する楽器種類判定手段と、その楽器種類判定手段により判定された種類の楽器が、前記楽曲データにおいて楽譜情報が定められた前記複数種類の楽器の何れかに該当するか否かを判定する楽器使用判定手段と、その楽器使用判定手段の判定が肯定される場合には、前記楽曲データに予め定められた前記複数種類の楽器それぞれに対応する出力特性情報から、前記楽器種類判定手段により判定された種類の楽器に対応する出力特性情報を抽出する出力特性抽出手段と、その出力特性抽出手段により抽出された出力特性情報に基づいて、前記外部入力受付手段により受け付けられた音情報の出力特性を設定する出力特性設定手段とを、備えたことを特徴とするものである。
【発明の効果】
【０００８】
このようにすれば、前記楽曲演奏装置に接続された外部装置からの音情報の入力を受け付ける外部入力受付手段と、その外部入力受付手段により受け付けられた音情報に対応する楽器の種類を判定する楽器種類判定手段と、その楽器種類判定手段により判定された種類の楽器が、前記楽曲データにおいて楽譜情報が定められた前記複数種類の楽器の何れかに該当するか否かを判定する楽器使用判定手段と、その楽器使用判定手段の判定が肯定される場合には、前記楽曲データに予め定められた前記複数種類の楽器それぞれに対応する出力特性情報から、前記楽器種類判定手段により判定された種類の楽器に対応する出力特性情報を抽出する出力特性抽出手段と、その出力特性抽出手段により抽出された出力特性情報に基づいて、前記外部入力受付手段により受け付けられた音情報の出力特性を設定する出力特性設定手段とを、備えたものであることから、前記楽曲データに予め定められた出力特性情報を用いて、簡便且つ実用的な態様で前記外部入力受付手段により受け付けられた音情報の出力特性を設定することができる。すなわち、外部装置から入力される音情報の出力特性を簡便に設定する楽曲演奏装置を提供することができる。
【０００９】
ここで、好適には、前記出力特性設定手段は、前記外部入力受付手段により受け付けられた音情報の出力に係る定位を設定するものである。このようにすれば、前記楽曲データに予め定められた出力特性情報を用いて、簡便且つ実用的な態様で前記外部入力受付手段により受け付けられた音情報の出力に係る定位を設定することができる。
【００１０】
また、好適には、前記出力特性設定手段は、前記外部入力受付手段により受け付けられた音情報の出力に係る少なくとも１種類のサウンドエフェクトを設定するものである。このようにすれば、前記楽曲データに予め定められた出力特性情報を用いて、簡便且つ実用的な態様で前記外部入力受付手段により受け付けられた音情報の出力に係るサウンドエフェクトを設定することができる。
【００１１】
また、好適には、前記外部入力受付手段により前記外部装置からの音情報の入力が受け付けられる場合において、前記楽曲データに定められた前記複数種類の楽器にそれぞれ対応する楽譜情報のうち、規定の楽器に対応する楽譜情報に基づく演奏音の出力を行わず、余の楽器に対応する楽譜情報に基づく演奏音の出力を行うマイナスワン演奏制御手段を備え、前記出力特性設定手段は、そのマイナスワン演奏制御手段により出力の対象から除外される前記規定の楽器の出力特性を設定するものである。このようにすれば、前記楽曲演奏装置にエレキギター等の楽器を接続し、その楽曲演奏装置による演奏出力に合わせて利用者が斯かる楽器の演奏練習を行う等の利用形態において、簡便且つ実用的な態様でその楽器から入力される音情報の出力特性を設定することができる。
【００１２】
また、好適には、複数種類の楽器それぞれに対応して、各楽器の演奏音の周波数特性を記憶する周波数特性データベースを備え、前記楽器種類判定手段は、前記外部入力受付手段により受け付けられた音情報の周波数特性を解析し、前記周波数特性データベースに記憶された各楽器の演奏音の周波数特性から前記音情報の解析結果に基づいてその音情報に対応する楽器の種類を判定するものである。このようにすれば、前記外部入力受付手段により受け付けられた音情報に対応する楽器の種類を簡便且つ実用的な態様で判定することができる。
【００１３】
また、好適には、前記外部入力受付手段は、前記外部装置としてエレキギターからの音情報の入力を受け付けるものである。このようにすれば、前記楽曲演奏装置にエレキギターを接続し、その楽曲演奏装置による演奏出力に合わせて利用者がエレキギターの演奏練習を行う等の利用形態において、簡便且つ実用的な態様でそのエレキギターから入力される音情報の出力特性を設定することができる。
【００１４】
また、好適には、前記外部入力受付手段は、前記外部装置としてベースギターからの音情報の入力を受け付けるものである。このようにすれば、前記楽曲演奏装置にベースギターを接続し、その楽曲演奏装置による演奏出力に合わせて利用者がベースギターの演奏練習を行う等の利用形態において、簡便且つ実用的な態様でそのベースギターから入力される音情報の出力特性を設定することができる。
【図面の簡単な説明】
【００１５】
【図１】本発明の楽曲演奏装置が好適に用いられる通信カラオケシステムの構成を説明する図である。
【図２】本発明の楽曲演奏装置の一実施例であるカラオケ装置の構成を例示するブロック線図である。
【図３】図２のカラオケ装置に備えられた楽曲データベースに記憶される楽曲データの一例について詳しく説明する図である。
【図４】図２のカラオケ装置に備えられたサウンドエフェクタにおいて設定可能なサウンドエフェクトを例示する図である。
【図５】図２のカラオケ装置のＣＰＵに備えられた制御機能の要部を説明する機能ブロック線図である。
【図６】図２のカラオケ装置のＣＰＵによる出力特性設定制御の一例の要部を説明するフローチャートである。
【発明を実施するための形態】
【００１６】
以下、本発明の好適な実施例を図面に基づいて詳細に説明する。
【実施例】
【００１７】
図１は、本発明の楽曲演奏装置が好適に用いられる通信カラオケシステム１０の構成を説明する図である。この図１に示す通信カラオケシステム１０においては、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の楽曲演奏装置の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２２を介して通信回線２０に接続されており、同様にその通信回線２０に接続されたサーバ装置１８等との相互間でその通信回線２０を介して情報の通信が可能とされている。
【００１８】
また、前記通信カラオケシステム１０は、複数の電子早見本装置２８ａ、２８ｂ、２８ｃ、・・・（以下、特に区別しない場合には単に電子早見本装置２８と称する）を備えており、前記カラオケ装置１６の利用に際して、各利用者（グループ）毎に１台乃至数台ずつの前記電子早見本装置２８が貸与され、各個室１４において後述するように前記カラオケ装置１６との間で対応付け処理が行われることで、そのカラオケ装置１６の遠隔操作装置として用いられるようになっている。また、図１に示すように、前記店舗１２内には前記複数のカラオケ装置１６を相互に接続するＬＡＮ２４が敷設されており、前記電子早見本装置２８からのカラオケ装置１６への入力は、所定のアクセスポイント２６及びＬＡＮ２４を介したＬＡＮ通信等により行われる。
【００１９】
前記通信回線２０は、例えば公衆電話回線、ＡＤＳＬ回線、或いは光ファイバ回線等から構成されるＷＷＷ（World Wide Web）等のインターネットに接続された広域情報通信網である。また、前記サーバ装置１８は、例えば、前記通信カラオケシステム１０を管理する情報配信サービス提供会社によって運営されるサーバであり、その通信カラオケシステム１０における楽曲データ（カラオケデータ）、背景映像情報、曲間情報等のデジタルコンテンツ（Digital Contents）の保管や入出力管理の基本的な制御を行うセンタ装置として機能する。また、前記通信カラオケシステム１０を利用する各利用者毎の、前記カラオケ装置１６を用いたカラオケ演奏に関する情報を、その利用者の識別情報（ユーザＩＤ）と対応付けて記憶するＳＮＳ（Social Network Service）データベースを管理するデータベースサーバとして機能する。なお、本実施例においては、前記通信カラオケシステム１０のセンタ装置としての機能及びデータベースサーバとしての機能を兼ね備えた単一の前記サーバ装置１８を備えた構成について説明するが、それらセンタ装置及びデータベースサーバが個別のサーバ装置として構成されたものであってもよい。
【００２０】
図１に示すように、前記通信カラオケシステム１０は、前記通信回線２０を介して複数のシステム乃至通信端末装置との間で相互に情報の送受信が可能とされている。すなわち、通信端末装置であるパーソナルコンピュータ３０が前記通信回線２０に接続されると共に、携帯型情報通信端末としての携帯電話機３２及びタブレット３４等が中継基地局３６を介して前記通信回線２０に接続されており、それらパーソナルコンピュータ３０、携帯電話機３２、タブレット３４等と前記サーバ装置１８等との間で相互に情報の送受信が可能とされている。
【００２１】
図２は、前記通信カラオケシステム１０に備えられた、本発明の楽曲演奏装置の一実施例であるカラオケ装置１６の構成を例示するブロック線図である。この図２に示すように、本実施例のカラオケ装置１６は、中央演算処理装置であるＣＰＵ４０と、読出専用メモリであるＲＯＭ４２と、随時書込読出メモリであるＲＡＭ４４と、記憶装置であるハードディスク４６と、グラフィックスチップ（グラフィックスボード）等の映像処理部４８と、サウンドチップ（サウンドボード）等の音声処理部５０と、操作パネル５２と、表示制御部５４及び入力制御部５６を介して前記ＣＰＵ４０に接続されたタッチパネルディスプレイ５８と、通信インターフェイス６４と、ＬＡＮインターフェイス６６と、無線通信部６８と、ビデオ出力端子７０を介して前記映像処理部４８に接続された映像表示装置であるディスプレイ７２と、オーディオ入力端子７４を介して前記音声処理部５０に接続された音声入力装置であるマイクロフォン７６と、オーディオ出力端子７８を介して前記音声処理部５０に接続された音声増幅装置であるアンプ８０と、そのアンプ８０に備えられた音声出力装置である１対のスピーカ８２ｒ、８２ｌ（以下、特に区別しない場合には単にスピーカ８２という）と、撮像装置であるデジタルカメラ８４と、オーディオ入力端子８６を介して前記音声処理部５０に接続されたサウンドエフェクタ８８とを、備えて構成されている。
【００２２】
前記ＣＰＵ４０は、前記ＲＡＭ４４の一時記憶機能を利用しつつ前記ＲＯＭ４２に予め記憶された所定のプログラムに基づいて電子情報を処理・制御する所謂マイクロコンピュータであり、前記カラオケ装置１６における各種制御を実行する。すなわち、前記操作パネル５２、タッチパネルディスプレイ５８、或いは電子早見本装置２８等により所定の楽曲（カラオケ演奏曲）が選曲入力された場合、その選曲入力された楽曲を前記ＲＡＭ４４等に設けられた予約曲テーブルに登録する選曲予約制御、その予約曲テーブルの演奏順に従って前記ハードディスク４６から前記ＲＡＭ４４に選曲されたカラオケ演奏曲の演奏情報及び歌詞情報（楽曲データ）を読み出す楽曲データ読出制御、楽曲の演奏進行に応じてそのＲＡＭ４４から前記音声処理部５０へ演奏情報を送信する演奏出力制御、その演奏出力制御に際して前記ＲＡＭ４４に展開された歌詞情報に基づいて歌詞文字映像を生成して前記映像処理部４８へ送信する歌詞文字映像出力制御、前記演奏出力制御に際して前記映像処理部４８を制御して所定の背景映像を再生させる背景映像出力制御、カラオケ演奏が行われていない間すなわち曲間において、新譜情報、選曲ランキング、店舗広告等の曲間情報を出力させる曲間情報出力制御、及び前記通信回線２０を介した前記サーバ装置１８等との間の情報通信制御等の基本的な制御に加え、後述する本実施例の出力特性設定制御等の各種制御を実行する。
【００２３】
前記映像処理部４８は、前記ディスプレイ７２に表示される画面（映像）の描画に係る各種制御を行う。例えば、前記ＣＰＵ４０から供給されるデータに基づいてグラフィックスメモリにそのデータを書き込み、そのデータを読み出すことによって前記ビデオ出力端子７０を介して前記ディスプレイ７２に所定の画面を表示させる制御を行う。具体的には、前記カラオケ装置１６による楽曲の演奏出力（カラオケ演奏）に際して、前記ＣＰＵ４０において生成された歌詞文字映像等の文字映像（テロップ）を出力させたり、前記ハードディスク４６に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ７２に表示させたり、その歌詞文字映像を前記楽曲の演奏進行に応じて順次色替わり表示させる等の各種表示制御を行う。なお、本実施例においては、前記映像処理部４８により前記ディスプレイ７２の表示制御を行う一方、後述する表示制御部５４により前記タッチパネルディスプレイ５８（表示装置６０）の表示制御を行う態様について説明するが、前記映像処理部４８により前記タッチパネルディスプレイ５８の表示制御をも行う態様も考えられる。この態様において、前記表示制御部５４は必ずしも設けられなくともよい。
【００２４】
前記音声処理部５０は、ＦＭ音源やＰＣＭ音源等の各種音源を備え、前記カラオケ装置１６による音声出力に係る各種制御を行う。好適には、電子回路により音を合成し、各種音色を発生するシンセサイザ（synthesizer）を備えている。このシンセサイザは、前記ハードディスク４６から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン７６から前記オーディオ入力端子７４を介して入力される利用者（演奏者）の歌声とミキシングされ、前記オーディオ出力端子７８を介して前記アンプ８０に供給されてそのアンプ８０により増幅されて前記スピーカ８２から出力される。また、後述するエレキギター９０等から前記サウンドエフェクタ８８を介して入力される音情報も、オーディオ出力端子８６を介して前記アンプ８０に供給され、そのアンプ８０により増幅されて前記スピーカ８２から出力される。
【００２５】
前記操作パネル５２は、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ５８は、画像（映像）を表示させると共に利用者の操作に応じて前記カラオケ装置１６への操作入力を行う装置であり、そのタッチパネルディスプレイ５８に所定の画像（映像）を表示させる表示装置６０と、利用者の指や図示しない備え付けのペン等による前記タッチパネルディスプレイ５８への接触により入力を行うタッチパネル６２とを、備えている。前記表示制御部５４は、前記ＣＰＵ４０から供給される情報に基づいて前記表示装置６０に表示される画面（映像）の描画を制御する映像処理部である。前記入力制御部５６は、前記タッチパネル６２により入力される操作入力情報を前記ＣＰＵ４０等に供給する入力処理部である。以上の構成を備えていることで、前記タッチパネルディスプレイ５８は、前記ディスプレイ７２とは別に第２の映像表示装置として機能すると共に、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２６】
前記カラオケ装置１６は、前記通信インターフェイス６４及びネットワーク接続端子９２を介して前記通信回線２０に接続されており、同様にその通信回線２０に接続された前記サーバ装置１８等との相互間でその通信回線２０を介して情報の通信が可能とされている。前記カラオケ装置１６は、好適には、前記通信回線２０を介して前記サーバ装置１８に接続されており、そのサーバ装置１８から楽曲データ（カラオケデータ）、背景映像情報、及び曲間情報等のデジタルコンテンツ（Digital Contents）の配信を受け付けるものである。すなわち、前記カラオケ装置１６は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００２７】
前記ＬＡＮインターフェイス６６は、前記カラオケ装置１６をＬＡＮ接続端子９４を介して前記ＬＡＮ２４に接続するための接続器であり、そのように前記ＬＡＮ２４に接続されることで、前記カラオケ装置１６は、同様に前記ＬＡＮ２４に接続された他のカラオケ装置１６や電子早見本装置２８等の他の機器との間で情報の送受信が可能とされる。例えば、前記アクセスポイント２６を介して受信される前記電子早見本装置２８からの選曲入力を受け付けて前記ＲＡＭ４４に設けられた予約曲テーブルに記憶したり、そのアクセスポイント２６を介して前記カラオケ装置１６から電子早見本装置２８へ所定の情報を送信したりというように、電波を介して前記カラオケ装置１６と電子早見本装置２８との間における相互の情報のやりとりが実行される。また、前記通信回線２０を介しての前記電子早見本装置２８とサーバ装置１８等との間の通信も、このＬＡＮ２４乃至前記ルータ２２を備えたカラオケ装置１６を介して行われる。
【００２８】
前記無線通信部６８は、前記カラオケ装置１６と前記電子早見本装置２８等の入力装置との間の無線通信を行う。例えば、前記電子早見本装置２８等の入力装置から送信されるリモコン信号を受信するリモコン受信部として機能する。前記カラオケ装置１６と電子早見本装置２８との対応付け（くくりつけ）処理は、好適には、斯かるリモコン信号（赤外線信号）により前記無線通信部６８を介して行われる。すなわち、前記電子早見本装置２８は、それぞれ個別のシリアル番号を有しており、前記対応付け処理においては、例えばそのシリアル番号（例えば、下４桁）及び所定の接続コードを含む信号が接続通知として前記カラオケ装置１６へ送信され、前記無線通信部６８によりその接続信号を受信したカラオケ装置１６に対して前記電子早見本装置２８が対応付けられる。そのようにして前記カラオケ装置１６に対応付けられた電子早見本装置２８は、そのカラオケ装置１６の入力装置（遠隔操作装置）として機能し、その電子制御装置２８から送信される信号が前記ＣＰＵ４０に供給されることで、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置２８と前記カラオケ装置１６との間の通信は、前記ＬＡＮ２４及びアクセスポイント２６等を介したＬＡＮ通信により行われる。また、本実施例においては、前記カラオケ装置１６に対応付け処理の行われた電子早見本装置２８等の入力装置もそのカラオケ装置１６の一部を構成するものであるとして以下の説明を行う。
【００２９】
前記デジタルカメラ８４は、例えばＣＣＤ（charge coupled device）やＣＭＯＳ（Complementary Metal-Oxide Semiconductor）等の撮像素子及びレンズを備え、そのレンズから入射される映像を撮像素子により検知し、その映像を電子情報（映像データ）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ８４により撮影された映像情報は、図示しないビデオ端子等のインターフェイスを介して前記ＣＰＵ４０等へ供給され、例えば前記音声処理部５０から出力される音声情報と共に、例えばＡＶＩ（Audio-Video Interleaved）形式、ＭＰＥＧ（Moving Picture Experts Group）形式、ＦＬＶ（Flash Video）形式等の映像ファイル（動画ファイル）として前記ＲＡＭ４４等に記憶される。なお、このデジタルカメラ８４は、必ずしも前記カラオケ装置１６の一部として備えられたものでなくともよく、例えば前記個室１４における所定位置に固設された別体のビデオカメラ乃至各利用者が所有する携帯電話機に備えられた撮像装置等により撮影された映像が所定のインターフェイスを介して前記カラオケ装置１６に入力される態様も考えられる。
【００３０】
前記ハードディスク４６には、前記カラオケ装置１６により前記楽曲の演奏出力（カラオケ演奏）を行うための多数（例えば、数万曲）の楽曲データ（カラオケデータ）を記憶する楽曲データベース９６をはじめとする各種データベースが設けられている。図３は、この楽曲データベース９６に記憶される楽曲データの一例について詳しく説明する図である。この図３に示すように、前記カラオケ装置１６において出力される各楽曲に対応して前記楽曲データベース９６に記憶された楽曲データは、例えば、メタデータ、演奏情報としてのＭＩＤＩデータ、及び歌詞情報としてのテロップデータを含んでいる。
【００３１】
前記メタデータは、例えば、各楽曲データの識別情報としての曲番号（選曲番号）、曲名、歌手名、登録日時等の情報を含んでいる。前記テロップデータは、前記映像処理部４８を介して各楽曲の歌詞文字映像表示制御を行うための情報であり、例えば、前記楽曲データに対応する楽曲（演奏曲）の歌詞を複数に区分した各区分に相当するブロックデータを含んでいる。前記ＭＩＤＩデータは、前記音声処理部５０を介して各楽曲の演奏出力制御を行うための情報であり、複数種類の楽器にそれぞれ対応する複数のトラック（チャンネル）を備え、各トラックにおいて対応する楽器の演奏音の出力タイミングが定められている。
【００３２】
すなわち、前記ＭＩＤＩデータには、例えば図３に示すように、ヘッダ（ヘッダチャンク）が定められると共に、前記複数のトラック（トラックチャンク）としてコンダクタトラック、トラック１、トラック２、トラック３、・・・、トラックｎ（図３においてはｎ＝１６）が定められている。前記ヘッダには、データ長、フォーマット、トラック数、及び時間単位等の情報が記憶されている。この時間単位は、４分音符の長さを示すものであり、前記ＭＩＤＩデータの分解能に対応する。前記コンダクタトラックには、前記ＭＩＤＩデータのテンポが定められている。前記トラック１〜１６には、各トラックにそれぞれ対応して演奏出力に係る楽器（演奏音）の種類と、出力される演奏音の音階及び音長等を定める楽譜情報とが定められている。例えば、前記トラック２が「ピアノ」、トラック３が「エレキギター」、トラック４が「ベースギター」、・・・、というように、各トラック毎に対応する楽器（演奏音）の種類が定められており、その楽器の楽譜情報として出力タイミング（デルタタイム）、音階、音量（Volume）等の情報が各トラック毎に定められている。また、前記複数のトラックのうち所定のトラック（例えば、トラック１０）は、専らリズムを取るための楽器の楽譜情報を定めるリズムトラックに対応するものであり、演奏音の音階を設定し得ない打楽器である例えば「バスドラム」、「スネアドラム」、「ハイハット」等の楽器（演奏音）に対応して、その楽譜情報としての出力タイミングが前記リズムトラックに定められている。
【００３３】
また、前記ＭＩＤＩデータには、そのパラメータとして前記カラオケ装置１６による演奏曲の出力に係る出力特性情報が記憶されている。この出力特性情報は、例えば、前記ＭＩＤＩデータにおけるコントロールチェンジに定められたステレオ関係値であるパンポット（Panpot）、前記アンプ８０からの出力に係る出力周波数特性であるイコライザ設定、及び前記サウンドエフェクタ８８において設定される各種サウンドエフェクト（図４を参照）等の情報であり、好適には、前記各トラックにおける楽器毎（各楽器の楽譜情報に付随する情報として）に記憶されている。このＭＩＤＩデータに定められた出力特性情報は、例えば、対応する楽曲のオリジナルＣＤ（市販されているメディア）に収録されたオリジナル楽曲の出力特性に合わせて（オリジナル楽曲の出力特性と近似した出力特性が）予め定められたものであり、斯かる出力特性情報が定められていることで、前記楽曲データに基づいて出力される楽曲における各楽器に対応する演奏音の出力特性が、オリジナル楽曲の同様の出力特性（バランス）とされる。この出力特性情報については、図５に示す出力特性抽出手段１１０及び出力特性設定手段１１２等の説明と併せて後述する。
【００３４】
前記サウンドエフェクタ８８は、外部装置である楽器に接続され、その楽器から入力される信号（音情報）を前記オーディオ入力端子８６を介して前記音声処理部５０へ供給する楽器入力装置である。好適には、外部装置であるエレキギター９０やベースギター（図２においてはエレキギター９０を図示）等の楽器とシールドを介して接続され、そのエレキギター９０等から入力される音情報（エレキギター９０の演奏に応じた演奏信号）を前記オーディオ入力端子８６を介して前記音声処理部５０へ供給する。このサウンドエフェクタ８８からの信号は、直接前記アンプ８０に入力されるものであってもよい。また、好適には、前記サウンドエフェクタ８８には、前記エレキギター９０等に対応して複数のサウンドエフェクトが予め記憶されて設定可能とされたものであり、前記エレキギター９０等から入力される信号に予め設定された複数のサウンドエフェクトを反映させて前記音声処理部５０へ供給する。また、前記ＭＩＤＩデータに基づくカラオケ演奏時に前記エレキギター９０等からの入力信号を受け付けることも可能である。斯かる態様において、前記ＭＩＤＩデータに基づいて前記シンセサイザにより生成された音楽信号は、前記サウンドエフェクタ８８から前記オーディオ入力端子８６を介して入力される前記エレキギター９０の演奏音とミキシングされ、前記オーディオ出力端子７８を介して前記アンプ８０に供給されてそのアンプ８０により増幅されて前記スピーカ８２から出力される。
【００３５】
図４は、前記サウンドエフェクタ８８において設定可能なサウンドエフェクトを例示する図であり、前記エレキギター９０から入力される信号に対応して設定される各種サウンドエフェクトを例示している。この図４に示すように、前記サウンドエフェクタ８８は、例えば、前記エレキギター９０から入力される信号に対応する音声を歪ませる「overDrive」、「distortion」等の所謂歪みアンプに相当するサウンドエフェクトを実装するものであり、前記エレキギター９０から入力される信号に反映させるエフェクトＴｙｐｅを、「overDrive」、「distortion」、「OD→Flanger」、「OD→Delay」、「DS→Chorus」、「DS→Flanger」、及び「DS→Delay」等から選択できるようになっている。また、適用されるサウンドエフェクトの深さ（強さ）に対応するエフェクトレベルを「1〜127」の範囲で設定できるようになっている。また、サウンドエフェクトに係るアンプシミュレータを、「Small」、「Bitin」、及び「2-Stk」等から選択できるようになっている。また、イコライザの設定として、低音域のゲインを調節する「LOゲイン」、中音域のゲインを調節する「MIDゲイン」、及び高音域のゲインを調節する「HIゲイン」等の設定を行うことができるようになっている。また、ディレイの設定として、「タイム」、「フィードバックレベル」、「ミックスレベル」、及び「アウトプットレベル」等の設定を行うことができるようになっている。また、リバーブｔｙｐｅを、「hall」及び「OFF（リバーブなし）」等から選択できるようになっている。これらの設定を組み合わせることで、前記エレキギター９０から入力される信号に好適なサウンドエフェクトを付与した演奏音として前記音声処理部５０に入力でき、前記アンプ８０等を介して前記スピーカ８２からその演奏音を出力させることができる。また、前記サウンドエフェクタ８８において適宜サウンドエフェクトの設定を行うことで、前記カラオケ装置１６（コマンダ本体）への過入力による不具合を好適に抑制することができる。
【００３６】
図５は、前記カラオケ装置１６のＣＰＵ４０に備えられた制御機能の要部を説明する機能ブロック線図である。この図５に示す演奏制御手段１００は、前記カラオケ装置１６による楽曲の出力（再生）を制御する。具体的には、前記楽曲データベース９６に記憶された楽曲データに基づくカラオケ演奏において、前記ＲＡＭ４４等の予約曲テーブルにおける上位の予約曲から順に（すなわち入力順に）、その予約曲テーブルに記憶された予約曲の選曲番号に対応する楽曲データを前記ハードディスク４６の楽曲データベース９６から読み出し、その楽曲データに含まれる演奏情報に基づいて演奏曲の出力を制御する。例えば、演奏情報としてのＭＩＤＩデータに基づいて、前記音声処理部５０に備えられたシンセサイザによりそのＭＩＤＩデータにおける楽譜情報としての各トラックに対応する楽器の演奏音（音楽情報）を出力させ、前記アンプ８０等を介して前記１対のスピーカ８２ｒ、８２ｌから出力させる。また、楽曲データに含まれる歌詞情報に基づいて演奏曲に係る歌詞文字映像の出力を制御する。すなわち、歌詞情報に基づいて歌詞文字映像を生成し、前記映像処理部４８を介してその歌詞文字映像を前記ディスプレイ７２に表示させる。また、カラオケ演奏の進行に伴い、そのディスプレイ７２に表示された歌詞文字映像を切替表示させると共に、歌詞色替情報に基づいて歌詞文字映像を順次色替え表示させる。
【００３７】
外部入力受付手段１０４は、前記カラオケ装置１６に接続された外部装置からの音情報の入力を受け付ける。好適には、後述する楽器種類判定手段１０６による判定対象となる楽器として、エレキギター或いはベースギター（本実施例においてはエレキギター９０）に対応する外部装置からの音情報の入力を受け付ける。例えば、前記サウンドエフェクタ８８及びオーディオ入力端子８６等を介して前記音声処理部５０に接続された外部装置としての前記エレキギター９０からその音声処理部５０への音情報（演奏信号）の入力を受け付ける。この外部入力受付手段１０４により受け付けられた音情報は、前記音声処理部５０から前記オーディオ出力端子７８を介して前記アンプ８０へ供給され、前述のようにそのアンプ８０により前記１対のスピーカ８２ｒ、８２ｌから出力される。ここで、前記外部入力受付手段１０４は、前記サウンドエフェクタ８８に内蔵の制御部に備えられたものであってもよい。また、前記音声処理部５０が前記外部入力受付手段１０４として機能するものであっても構わない。
【００３８】
前記演奏制御手段１００は、マイナスワン演奏制御手段１０２を含んでいる。このマイナスワン演奏制御手段１０２は、例えば前記外部入力受付手段１０４により前記外部装置からの音情報の入力が受け付けられる場合において、前記楽曲データに予め定められた前記複数種類の楽器にそれぞれ対応する楽譜情報のうち、規定の楽器に対応する楽譜情報に基づく演奏音の出力を行わず、余の楽器に対応する楽譜情報に基づく演奏音の出力を行うマイナスワン（Ｎ−１）演奏制御を実行する。ここで、好適には、前記外部入力受付手段１０４により音情報の入力が受け付けられる前記外部装置が、前記マイナスワン演奏制御手段１０２により出力対象から除外される前記規定の楽器に対応する。すなわち、前記マイナスワン演奏制御手段１０２は、例えば、前記外部入力受付手段１０４により前記エレキギター９０からの音情報の入力が受け付けられる場合において、前記楽曲データにおける複数のトラックにそれぞれ対応する楽器の演奏音のうち、前記エレキギター９０に対応するトラック（例えば、トラック３等）の演奏音を出力させず余のトラックに対応する楽器の演奏音を出力させる。換言すれば、前記エレキギター９０に対応するトラックが無いものとして前記楽曲データに基づく楽曲の出力を制御する。このマイナスワン演奏制御手段１０２による演奏制御時に、前記外部入力受付手段１０４により前記外部装置からの音情報の入力が受け付けられると、その外部装置から入力される音情報があたかも楽曲における１パート（外部装置に対応するパート）として、余のトラックに対応する楽器の演奏に合わせてバンド演奏を行っているかのようなカラオケ演奏を実現できる。
【００３９】
楽器種類判定手段１０６は、前記外部入力受付手段１０４により受け付けられた音情報に対応する楽器の種類を判定する。換言すれば、前記サウンドエフェクタ８８等を介して入力される信号が、何の楽器の演奏音に対応するものであるか判定する。図５に示すように、好適には、前記カラオケ装置１６のハードディスク４６等には、複数種類の楽器それぞれに対応して、予め実験的に求められた各楽器の演奏音の周波数特性を記憶する周波数特性データベース９８が設けられている。前記楽器種類判定手段１０６は、好適には、前記外部入力受付手段１０４により受け付けられた音情報の周波数特性を解析し、前記周波数特性データベース９８に記憶された各楽器の演奏音の周波数特性から前記音情報の解析結果に基づいてその音情報に対応する楽器の種類を判定する。前記楽器種類判定手段１０６による判定対象となる前記複数種類の楽器は、好適には、前記楽曲データ（ＭＩＤＩデータ）における演奏音として使用し得る楽器である。すなわち、前記周波数特性データベース９８に記憶された複数種類の楽器それぞれに対応する周波数特性は、好適には、前記楽曲データにおける演奏音として使用し得る楽器にそれぞれ対応するものである。
【００４０】
楽器使用判定手段１０８は、前記楽器種類判定手段１０６により判定された種類の楽器が、前記楽曲データにおいて楽譜情報が定められた前記複数種類の楽器の何れかに該当するか否かを判定する。すなわち、前記外部入力受付手段１０４により受け付けられた音情報に対応する楽器が、前記楽曲データ（ＭＩＤＩデータ）において楽譜情報が定められた（所定のトラックに対応して演奏音が定められた）前記複数種類の楽器の何れかに該当するか否かを判定する。好適には、前記演奏制御手段１００（マイナスワン演奏制御手段１０２）による演奏出力に際して、前記楽器種類判定手段１０６により判定された種類の楽器が、その演奏出力に係る楽曲データにおいて楽譜情報が定められた前記複数種類の楽器の何れかに該当するか否かを判定する。
【００４１】
出力特性抽出手段１１０は、前記楽器使用判定手段１０８の判定が肯定される場合には、前記楽曲データに予め定められた前記複数種類の楽器それぞれに対応する出力特性情報から、前記楽器種類判定手段１０８により判定された種類の楽器に対応する出力特性情報を抽出する。換言すれば、前記外部入力受付手段１０４により受け付けられた音情報に対応する楽器が、前記楽曲データにおいて楽譜情報が定められた前記複数種類の楽器の何れかに該当する場合に、前記楽曲データに予め定められた前記複数種類の楽器それぞれに対応する出力特性情報から、前記外部入力受付手段１０４により受け付けられた音情報に対応する楽器に対応する出力特性情報を抽出する。好適には、前記楽器種類判定手段１０８により判定された種類の楽器に対応して前記楽曲データのＭＩＤＩデータにおいて予め定められた出力特性情報として、コントロールチェンジに定められたステレオ関係値であるパンポット（Panpot）、前記アンプ８０からの出力に係る出力周波数特性であるイコライザ設定、及び前記サウンドエフェクタ８８において設定される各種サウンドエフェクト等の情報を抽出する。
【００４２】
出力特性設定手段１１２は、前記出力特性抽出手段１１０により抽出された出力特性情報に基づいて、前記外部入力受付手段１０４により受け付けられた音情報の出力特性を設定する。好適には、前記マイナスワン演奏制御手段１０２による演奏出力に際して、そのマイナスワン演奏制御手段１０２により出力の対象から除外される前記規定の楽器の出力特性を設定する。具体的には、以下に詳述するように、前記楽曲データ（ＭＩＤＩデータ）において予め定められた出力特性情報に基づいて、前記外部入力受付手段１０４により受け付けられた音情報の出力特性を設定する。
【００４３】
前記出力特性設定手段１１２は、好適には、前記外部入力受付手段１０４により受け付けられた音情報の出力に係る定位を設定する。すなわち、前記外部入力受付手段１０４により受け付けられた音情報の出力に係る定位を、前記出力特性抽出手段１１０により抽出された出力特性情報における定位に関する情報例えばステレオ関係値に基づいて設定する。このステレオ関係値とは、前記カラオケ装置１６に備えられた複数のスピーカ８２（図５では１対のスピーカ８２ｒ、８２ｌ）による前記演奏曲のステレオ出力に関して、各スピーカ毎の割り振りを定める値であり、例えばＭＩＤＩにおけるパンポット（Panpot）が斯かるステレオ関係値に相当する。このパンポットは、パンニング（Panning）とも称されるＭＩＤＩのコントロールチェンジのひとつであり、例えば０〜１２７の数値に設定され、その数値に応じて前記１対のスピーカ８２ｒ、８２ｌに関する音の割り振りが制御される。例えば、パンポットが０の場合には左側のスピーカ８２ｌのみの出力となり、６４の場合には左右のスピーカ８２からの出力バランスが等しくなり、１２７の場合には右側のスピーカ８２ｒのみの出力となる。すなわち、パンポットが小さくなるほど左側のスピーカ８２ｌへ割り振られる音の割合が大きくなり、大きくなるほど右側のスピーカ８２ｒへ割り振られる音の割合が大きくなる。
【００４４】
前記出力特性設定手段１１２は、好適には、前記外部入力受付手段１０４により受け付けられた音情報の出力に係る周波数特性を設定する。すなわち、前記外部入力受付手段１０４により受け付けられた音情報の出力に係る周波数特性を、前記出力特性抽出手段１１０により抽出された出力特性情報における前記アンプ８０からの出力に係る出力周波数特性例えばイコライザ設定に基づいて設定する。このイコライザ設定とは、予め定められた周波数帯域毎のゲインを定めるものであり、好適には、低音域、中音域、及び高音域それぞれのゲインを設定するものである。具体的には、このゲインが大きいほど対応する周波数帯域の音声を増強させ、ゲインが小さいほど対応する周波数帯域の音声を減衰させる。このイコライザ設定は、前記サウンドエフェクタ８８において設定されるものであってもよい。すなわち、前記サウンドエフェクタ８８におけるイコライザの設定に係る「LOゲイン」、「MIDゲイン」、及び「HIゲイン」等が前記出力特性設定手段１１２により設定されるものであってもよい。
【００４５】
前記出力特性設定手段１１２は、好適には、前記外部入力受付手段１０４により受け付けられた音情報の出力に係る少なくとも１種類のサウンドエフェクトを設定する。すなわち、前記外部入力受付手段１０４により受け付けられた音情報の出力に適用されるサウンドエフェクトを、前記出力特性抽出手段１１０により抽出された出力特性情報における各種サウンドエフェクトに基づいて設定する。例えば、図４を用いて前述した前記エレキギター９０に対応して設定される各種サウンドエフェクトに関して、エフェクトＴｙｐｅの選択、エフェクトレベルの設定、アンプシミュレータの選択、イコライザの設定、ディレイの設定、及びリバーブｔｙｐｅの選択等を行う。すなわち、前記出力特性設定手段１１２は、好適には、前記出力特性抽出手段１１０により抽出された出力特性情報に基づいて、前記サウンドエフェクタ８８における各種サウンドエフェクトの設定を行う。
【００４６】
前述したように、前記マイナスワン演奏制御手段１０２による演奏制御時には、出力対象となる楽曲データに予め定められた前記複数種類の楽器にそれぞれ対応する楽譜情報のうち、規定の楽器に対応する楽譜情報に基づく演奏音の出力が行われず、余の楽器に対応する楽譜情報に基づく演奏音の出力が行われ、斯かる演奏制御と併行して前記外部入力受付手段１０４により前記規定の楽器からの音情報の入力が受け付けられることで、その楽器から入力される音情報があたかも楽曲における１パートとして、余のトラックに対応する楽器の演奏に合わせてバンド演奏を行っているかのようなカラオケ演奏を実現できる。この際、前記マイナスワン演奏制御手段１０２により出力の対象から除外されない前記余の楽器の出力特性は、前記楽曲データ（ＭＩＤＩデータ）に予め定められた出力特性情報により設定されるが、前記規定の楽器に関しては楽曲データに基づく出力の対象から除外されているため、従来の制御では、その楽曲データに基づく演奏制御に係る出力特性の設定は行われない。本実施例のカラオケ装置１６においては、前記マイナスワン演奏制御手段１０２による演奏出力に際して、そのマイナスワン演奏制御手段１０２により出力の対象から除外される前記規定の楽器の出力特性を、前記出力特性抽出手段１１０により抽出された出力特性情報（楽曲データに予め定められた出力特性情報）に基づいて設定する。これにより、前記規定の楽器からの入力音声を前記楽曲データにおける前記余の楽器の演奏音と併行して出力させる演奏形態において、その規定の楽器からの入力音声を含め、通常の演奏制御すなわち前記楽曲データに定められた全てのトラックの演奏音を出力させる演奏制御と同等の出力特性を実現することができる。
【００４７】
特に、利用者が前記カラオケ装置１６を用いて前記エレキギター９０等の楽器を演奏する様子を、そのカラオケ装置１６に備えられた前記デジタルカメラ８４により撮影し、その撮影された動画情報を前記サーバ装置１８等におけるＳＮＳデータベースにアップロードして前記パーソナルコンピュータ３０や携帯電話機３２等により閲覧可能とする動画情報配信システムにおいて、本実施例のカラオケ装置１６は顕著な効果を奏する。従来の技術においては、前記外部装置からの入力音声に関してはその出力に係る定位や周波数特性等の出力特性を設定し得ず、所謂ライン出力（ライン端子を介してのアナログ出力）により前記カラオケ装置１６から出力されるものであったため、前記デジタルカメラ８４により撮影される動画情報に対応する演奏は、どうしても素人臭く感じられる傾向にあった。一方、本実施例のカラオケ装置１６によれば、前記エレキギター９０等からの入力音声を前記楽曲データにおける前記余の楽器の演奏音（マイナスワン演奏制御手段１０２により出力の対象から除外されない楽器の演奏音）と併行して出力させる演奏形態において、そのエレキギター９０からの入力音声を含め、通常の演奏制御すなわち前記楽曲データに定められた全てのトラックの演奏音を出力させる演奏制御と同等の出力特性を実現することができるため、前記デジタルカメラ８４により撮影される動画情報に対応する演奏を、玄人の趣を感じさせるものとすることができるのである。
【００４８】
図６は、前記カラオケ装置１６のＣＰＵ４０による出力特性設定制御の一例の要部を説明するフローチャートであり、所定の周期で繰り返し実行されるものである。
【００４９】
先ず、ステップ（以下、ステップを省略する）Ｓ１において、ギター練習モードが成立しているか否か、すなわち前記楽曲データにおける複数のトラックにそれぞれ対応する楽器の演奏音のうち、「エレキギター」に対応するトラックの演奏音を出力させず余のトラックに対応する楽器の演奏音を出力させるマイナスワン演奏モードが成立しているか否かが判断される。このＳ１の判断が否定される場合には、Ｓ２において、通常のカラオケ演奏処理すなわち前記楽曲データに定められた全てのトラックの演奏音を出力させる演奏制御が行われた後、本ルーチンが終了させられるが、Ｓ１の判断が肯定される場合には、Ｓ３において、前記予約曲テーブルの最上位に記憶された楽曲の演奏順となる等して、所定の楽曲のカラオケ演奏が開始されるか否かが判断される。このＳ３の判断が否定される場合には、それをもって本ルーチンが終了させられるが、Ｓ３の判断が肯定される場合には、Ｓ４以下の処理が実行される。
【００５０】
Ｓ４においては、演奏開始に係る楽曲に対応する楽曲データが前記楽曲データベース９６から読み出されて前記ＲＡＭ４４等に展開され、その展開された楽曲データに基づく楽曲の演奏出力（「エレキギター」に対応するトラックを除く）が開始される。次に、Ｓ５において、前記サウンドエフェクタ８８等を介して外部装置からの音声入力が受け付けられたか否かが判断される。このＳ５の判断が否定される場合には、それをもって本ルーチンが終了させられるが、Ｓ５の判断が肯定される場合には、Ｓ６において、前記サウンドエフェクタ８８等から入力される外部装置からの入力音声の周波数特性が解析される。次に、Ｓ７において、前記周波数特性データベース９８に記憶された各楽器の演奏音の周波数特性からＳ７の解析結果に基づいて、外部装置からの入力音声に対応する楽器の種類が判定される。本制御においては、外部装置からの入力音声に対応する楽器が、前記周波数特性データベース９８に記憶されたエレキギター９０であるか否かが判断される。このＳ７の判断が否定される場合には、それをもって本ルーチンが終了させられるが、Ｓ７の判断が肯定される場合には、Ｓ８以下の処理が実行される。
【００５１】
Ｓ８においては、前記マイナスワン演奏出力に係る楽曲データに予め定められた前記複数種類の楽器それぞれに対応する出力特性情報から、Ｓ７にて判定された種類の楽器に対応する出力特性情報、すなわちエレキギター９０に対応するステレオ関係値、イコライザ設定、及び各種サウンドエフェクト設定等の情報が抽出される。次に、Ｓ９において、Ｓ８にて抽出されたステレオ関係値、イコライザ設定、及び各種サウンドエフェクト設定等が、前記サウンドエフェクタ８８等を介して入力される前記エレキギター９０の演奏音の出力特性として設定される。次に、Ｓ１０において、Ｓ９にて設定された出力特性が前記エレキギター９０から入力される音情報に適用され、その音情報が前記楽曲データにおける前記余の楽器の演奏音（エレキギター９０以外の楽器の演奏音）と併行して出力された後、本ルーチンが終了させられる。
【００５２】
以上の制御において、Ｓ１〜Ｓ４、及びＳ１０が前記演奏制御手段１００（マイナスワン演奏制御手段１０２）の動作に、Ｓ５が前記外部入力受付手段１０４の動作に、Ｓ６が前記楽器種類判定手段１０６の動作に、Ｓ７が前記楽器使用判定手段１０８の動作に、Ｓ８が前記出力特性抽出手段１１０の動作に、Ｓ９が前記出力特性設定手段１１２の動作に、それぞれ対応する。
【００５３】
このように、本実施例によれば、楽曲演奏装置である前記カラオケ装置１６に接続された外部装置としてのエレキギター９０からの音情報の入力を受け付ける外部入力受付手段１０４（Ｓ５）と、その外部入力受付手段１０４により受け付けられた音情報に対応する楽器の種類を判定する楽器種類判定手段１０６（Ｓ６）と、その楽器種類判定手段１０６により判定された種類の楽器が、前記楽曲データにおいて楽譜情報が定められた前記複数種類の楽器の何れかに該当するか否かを判定する楽器使用判定手段１０８（Ｓ７）と、その楽器使用判定手段１０８の判定が肯定される場合には、前記楽曲データに予め定められた前記複数種類の楽器それぞれに対応する出力特性情報から、前記楽器種類判定手段１０６により判定された種類の楽器に対応する出力特性情報を抽出する出力特性抽出手段１１０（Ｓ８）と、その出力特性抽出手段１１０により抽出された出力特性情報に基づいて、前記外部入力受付手段１０４により受け付けられた音情報の出力特性を設定する出力特性設定手段１１２（Ｓ９）とを、備えたものであることから、前記楽曲データに予め定められた出力特性情報を用いて、簡便且つ実用的な態様で前記外部入力受付手段１０４により受け付けられた音情報の出力特性を設定することができる。すなわち、前記エレキギター９０から入力される音情報の出力特性を簡便に設定するカラオケ装置１６を提供することができる。
【００５４】
また、前記外部入力受付手段１０４により規定の楽器である前記エレキギター９０からの音情報の入力が受け付けられる場合において、前記楽曲データに定められた前記複数種類の楽器にそれぞれ対応する楽譜情報のうち、前記エレキギター９０に対応する楽譜情報に基づく演奏音の出力を行わず、余の楽器に対応する楽譜情報に基づく演奏音の出力を行うマイナスワン演奏制御手段１０２（Ｓ１〜Ｓ４、及びＳ１０）を備え、前記出力特性設定手段１１２は、そのマイナスワン演奏制御手段１０２により出力の対象から除外される前記エレキギター９０の出力特性を設定するものであるため、前記カラオケ装置１６にエレキギター９０等の楽器を接続し、そのカラオケ装置１６による演奏出力に合わせて利用者が斯かる楽器の演奏練習を行う等の利用形態において、簡便且つ実用的な態様でその楽器から入力される音情報の出力特性を設定することができる。
【００５５】
また、前記出力特性設定手段１１２は、前記外部入力受付手段１０４により受け付けられた音情報の出力に係る定位を設定するものであるため、前記楽曲データに予め定められた出力特性情報を用いて、簡便且つ実用的な態様で前記外部入力受付手段１０４により受け付けられた音情報の出力に係る定位を設定することができる。
【００５６】
また、前記出力特性設定手段１１２は、前記外部入力受付手段１０４により受け付けられた音情報の出力に係る少なくとも１種類のサウンドエフェクトを設定するものであるため、前記楽曲データに予め定められた出力特性情報を用いて、簡便且つ実用的な態様で前記外部入力受付手段１０４により受け付けられた音情報の出力に係るサウンドエフェクトを設定することができる。
【００５７】
また、好適には、複数種類の楽器それぞれに対応して、各楽器の演奏音の周波数特性を記憶する周波数特性データベース９８を備え、前記楽器種類判定手段１０６は、前記外部入力受付手段１０４により受け付けられた音情報の周波数特性を解析し、前記周波数特性データベース９８に記憶された各楽器の演奏音の周波数特性から前記音情報の解析結果に基づいてその音情報に対応する楽器の種類を判定するものであるため、前記外部入力受付手段１０４により受け付けられた音情報に対応する楽器の種類を簡便且つ実用的な態様で判定することができる。
【００５８】
また、前記外部入力受付手段１０４は、前記外部装置としてエレキギター９０からの音情報の入力を受け付けるものであるため、前記カラオケ装置１６にエレキギター９０を接続し、そのカラオケ装置１６による演奏出力に合わせて利用者がエレキギター９０の演奏練習を行う等の利用形態において、簡便且つ実用的な態様でそのエレキギター９０から入力される音情報の出力特性を設定することができる。
【００５９】
以上、本発明の好適な実施例を図面に基づいて詳細に説明したが、本発明はこれに限定されるものではなく、更に別の態様においても実施される。
【００６０】
例えば、前述の実施例では、前記外部入力受付手段１０４により外部装置としてのエレキギター９０からの音情報の入力を受け付け、前記出力特性設定手段１１２によりそのエレキギター９０から入力される音情報の出力特性を設定する例を説明したが、本発明はこれに限定されるものではなく、前記外部入力受付手段１０４は、外部装置としてのベースギター等からの音情報の入力を受け付けるものであってもよい。このようにすれば、前記カラオケ装置１６にベースギターを接続し、そのカラオケ装置１６による演奏出力に合わせて利用者がベースギターの演奏練習を行う等の利用形態において、簡便且つ実用的な態様でそのベースギターから入力される音情報の出力特性を設定することができる。本発明は、その他、前記カラオケ装置１６にドラム（エレクトリックドラム）やエレクトーン等が外部装置として接続される形態、或いは前記携帯電話機３２に機能的に備えられた楽器演奏アプリケーションソフトウェアから前記カラオケ装置１６に対して音情報の入力が行われる形態等における出力特性の設定に関しても好適に適用されるものである。
【００６１】
また、前述の実施例においては、前記エレキギター９０から入力される信号に対応して設定される各種サウンドエフェクトを図４を用いて例示したが、前記外部装置として他の楽器が前記カラオケ装置１６に接続される形態においては、異なる種類のサウンドエフェクトがその外部装置からの入力音声に適用され得ることは言うまでもない。例えば、前記カラオケ装置１６にベースギターを接続し、そのカラオケ装置１６による演奏出力に合わせて利用者がベースギターの演奏練習を行う等の利用形態においては、前記サウンドエフェクタ８８に予め記憶された、前記ベースギターから入力される信号に対応して設定される各種サウンドエフェクト等に関して、前記出力特性設定手段１１２による出力特性設定制御が実行される。
【００６２】
また、前述の実施例において、前記出力特性設定手段１１２は、前記出力特性抽出手段１１０により抽出された出力特性情報を、一律に前記外部入力受付手段１０４により受け付けられた音情報の出力特性として設定するものであったが、前記出力特性設定手段１１２は、例えば、前記出力特性抽出手段１１０により抽出された出力特性情報を、「おまかせ出力特性」として前記タッチパネルディスプレイ５８（表示装置６０）等に選択可能に表示させるものであってもよい。すなわち、前記タッチパネルディスプレイ５８（タッチパネル６２）による所定の操作があった場合に、初めて前記出力特性抽出手段１１０により抽出された出力特性情報が前記外部入力受付手段１０４により受け付けられた音情報の出力特性として適用（設定）されるものであっても構わない。
【００６３】
また、前述の実施例において、前記出力特性設定手段１１２は、前記出力特性抽出手段１１０により抽出された出力特性情報に基づいて、前記外部入力受付手段１０４により受け付けられた音情報の出力に係る定位やサウンドエフェクト等の出力特性を設定するものであったが、前記出力特性抽出手段１１０により抽出された出力特性情報に基づいて、前記外部入力受付手段１０４により受け付けられた音情報の出力に係る音量レベルを設定するものであってもよい。
【００６４】
また、前述の実施例において、前記楽器種類判定手段１０６は、前記外部入力受付手段１０４により受け付けられた音情報の周波数特性を解析し、前記周波数特性データベース９８に記憶された各楽器の演奏音の周波数特性から前記音情報の解析結果に基づいてその音情報に対応する楽器の種類を判定するものであったが、これはあくまで好適な実施形態の一例であり、他のアルゴリズムにより前記外部入力受付手段１０４により受け付けられた音情報に対応する楽器を判定するものであってもよい。例えば、前記サウンドエフェクタ８８において、前記エレキギター９０のシールドが接続される端子が決まっている場合に、その端子から入力される音情報に対応する楽器をエレキギター９０と判定する等の簡単なものであってもよい。また、前記タッチパネルディスプレイ５８（タッチパネル６２）等を介しての入力操作により、利用者が演奏する楽器の種類を選択し得るものであってもよく、その選択の結果に応じて前記楽器種類判定手段１０６の判定を行うものであっても構わない。
【００６５】
また、前述の実施例では、複数種類の楽器にそれぞれ対応する楽譜情報が定められた楽曲データに基づいて、前記複数種類の楽器の演奏音を併行して出力させる楽曲演奏装置の一例として、多数の楽曲データのうちから選択される楽曲データの演奏出力を行うと共に、その楽曲の歌詞文字映像を映像表示装置に表示させるカラオケ装置１０に本発明が適用された例を説明したが、本発明はこれに限定されるものではなく、別の形態の楽曲演奏装置にも適用され得る。例えば、専ら前記エレキギター９０等の楽器の演奏を練習するために用いられる楽器演奏練習装置としての楽曲演奏装置等にも、本発明は好適に適用されるものである。
【００６６】
その他、一々例示はしないが、本発明はその趣旨を逸脱しない範囲内において種々の変更が加えられて実施されるものである。
【符号の説明】
【００６７】
１６：カラオケ装置（楽曲演奏装置）、９０：エレキギター（外部装置）、９８：周波数特性データベース、１０２：マイナスワン演奏制御手段、１０４：外部入力受付手段、１０６：楽器種類判定手段、１０８：楽器使用判定手段、１１０：出力特性抽出手段、１１２：出力特性設定手段
【図１】
2014066922.tif 000003
【図２】
2014066922.tif 000004
【図３】
2014066922.tif 000005
【図４】
2014066922.tif 000006
【図５】
2014066922.tif 000007
【図６】
2014066922.tif 000008